(57)【要約】【課題】  ユニット建物において、簡素な構成により、居室の温熱性能を向上すること。【解決手段】  複数の建物ユニット２０を互いに隣接設置してなるユニット建物１０において、相隣る建物ユニット２０の間の外気に接する継目縁部５１に断熱・通気止め材６１を封着してなる。【選択図】  図２
2006104927.tif 000002
【特許請求の範囲】
【請求項１】
複数の建物ユニットを互いに隣接設置してなるユニット建物において、
相隣る前記建物ユニットの間に形成される継目のうち、外気に接する継目縁部に断熱・通気止め材が配置されていることを特徴とするユニット建物。
【請求項２】
前記断熱・通気止め材が、相隣る前記建物ユニットの間の外気に接する継目に封着されてなることを特徴とする請求項１に記載のユニット建物。
【請求項３】
前記断熱・通気止め材を封着する継目が、１階床部の継目、外壁の継目、及び最上階天井部の継目であることを特徴とする請求項２に記載のユニット建物。
【請求項４】
前記断熱・通気止め材を封着する継目が、相隣る前記建物ユニットの内壁パネルの間に連通する継目であることを特徴とする請求項２または請求項３に記載のユニット建物。
【請求項５】
前記断熱・通気止め材は、相隣る前記建物ユニットのそれぞれに取り付けられる２つの部材から構成されており、該両部材は、前記建物ユニットに取り付けられていない面が前記継目縁部の内方で互いに当接していることを特徴とする請求項１ないし請求項４のいずれか１項に記載のユニット建物。
【請求項６】
前記建物ユニットが設置される被設置部には、相隣る前記建物ユニットによって形成される継目に面する箇所に気流止め材が配置されていることを特徴とする請求項５に記載のユニット建物。
【請求項７】
請求項５に記載されたユニット建物を構築する構築方法であって、
相隣る前記建物ユニットの設置前に、前記断熱・通気止め材を構成する前記２つの部材を前記両建物ユニットのそれぞれに取り付け、
該両建物ユニットを隣接設置し、
該両建物ユニットを隣接設置することにより、前記両部材の前記建物ユニットに取り付けられていない面が前記継目縁部の内方で互いに当接されることを特徴とするユニット建物の構築方法。
【請求項８】
前記建物ユニットが設置される前に、該建物ユニットが設置される被設置部のうち、相隣る前記建物ユニットによって形成される継目に面する箇所に気流止め材を取り付けることを特徴とする請求項７に記載のユニット建物の構築方法。
【発明の詳細な説明】
【技術分野】
【０００１】
本発明はユニット建物およびその構築方法に関する。
【背景技術】
【０００２】
従来、特許文献１に記載の如くのユニット建物がある。このユニット建物は、図１３に示す如く、基礎１の上に、複数の下階建物ユニット２を互いに隣接設置し、各下階建物ユニット２の上に上階建物ユニット３を搭載し、各上階建物ユニット３の上に屋根ユニット４を搭載して構築される。
【０００３】
このユニット建物では、各建物ユニット２、３が構成する居室の温熱性能を維持するために、１階床部を構成する各下階建物ユニット２の床パネル２Ａに断熱材５Ａを充填し、屋上バルコニー床部を構成する上階建物ユニット３の床パネル３Ａに断熱材５Ｂを充填し、外壁を構成する各建物ユニット２、３の外壁パネル２Ｂ、３Ｂに断熱材６Ａ、６Ｂを充填し、２階天井部を構成する屋根ユニット４に設けた天井材４Ａの天井裏側に断熱材７を充填している。
【特許文献１】特開平１０−３２５１８０号公報
【発明の開示】
【発明が解決しようとする課題】
【０００４】
従来のユニット建物は、相隣る下階建物ユニット２の間、上階建物ユニット３の間のそれぞれに、床下空間に臨んで外気（換気）に接する１階床部の床パネル２Ａ間の継目８Ａ、外周空間に臨んで外気に接する外壁の外壁パネル２Ｂ間、外壁パネル３Ｂ間の継目（図示せず。）、屋根裏空間に臨んで外気（換気）に接する天井材４Ａ間の継目８Ｃを生ずる。これにより、それらの継目８Ａ、８Ｃからそれらの下階建物ユニット２の内壁パネル２Ｃの間、上階建物ユニット３の内壁パネル３Ｃの間に外気が侵入し、この外気が内壁パネル２Ｃ、３Ｃを介して居室の温熱性能を損なうおそれがある。
【０００５】
そこで、従来のユニット建物では、居室の温熱環境を安定化するため、建物ユニット２、３の内壁パネル２Ｃ、３Ｃにも断熱材９Ａ、９Ｂを充填しており、多量の断熱材を必要とし、コスト高になる。
【０００６】
本発明の課題は、ユニット建物において、簡素な構成により、居室の温熱性能を向上することにある。
【課題を解決するための手段】
【０００７】
請求項１の発明は、複数の建物ユニットを互いに隣接設置してなるユニット建物において、相隣る前記建物ユニットの間に形成される継目のうち、外気に接する継目縁部に断熱・通気止め材が配置されているものである。
【０００８】
請求項２の発明は、請求項１の発明において更に、相隣る建物ユニットの間の外気に接する継目に断熱・通気止め材を封着してなるようにしたものである。
【０００９】
請求項３の発明は、請求項２の発明において更に、断熱・通気止め材を封着する継目が、１階床部の継目、外壁の継目、及び最上階天井部の継目であるようにしたものである。
【００１０】
請求項４の発明は、請求項２または請求項３の発明において更に、断熱・通気止め材を封着する継目が、相隣る建物ユニットの内壁パネルの間に連通する継目であるようにしたものである。
【００１１】
請求項５の発明は、請求項１ないし請求項４のいずれか１項の発明において更に、断熱・通気止め材は、相隣る建物ユニットのそれぞれに取り付けられる２つの部材から構成されており、両部材の建物ユニットに取り付けられていない面が継目縁部の内方で互いに当接するようにしたものである。
【００１２】
請求項６の発明は、請求項５の発明において更に、建物ユニットが設置される被設置部には、相隣る建物ユニットによって形成される継目に面する箇所に気流止め材が配置されているようにしたものである。
【００１３】
請求項７の発明は、請求項５に記載されたユニット建物を構築する構築方法であって、相隣る建物ユニットの設置前に、断熱・通気止め材を構成する２つの部材を両建物ユニットのそれぞれに取り付け、両建物ユニットを隣接設置し、両建物ユニットを隣接設置することにより、両部材の建物ユニットに取り付けられていない面が継目縁部の内方で互いに当接されるようにしたものである。
【００１４】
請求項８の発明は、請求項７の発明において更に、建物ユニットが設置される前に、建物ユニットが設置される被設置部のうち、相隣る建物ユニットによって形成される継目に面する箇所に気流止め材を取り付けるようにしたものである。
【発明の効果】
【００１５】
（請求項１）
（ａ）外気に接する継目縁部に断熱・通気止め材が配置されていることにより、相隣る建物ユニットの間に外気が侵入することを抑制することができ、居室の温熱環境を安定化できる。
【００１６】
（請求項２）
（ｂ）相隣る建物ユニットの間の外気に接する継目に断熱・通気止め材を封着することにより、相隣る建物ユニットの間に外気が侵入することがなくなり、居室の温熱環境を安定化できる。
【００１７】
（請求項３）
（ｃ）１階床部の継目、外壁の継目、及び最上階天井部の継目に断熱・通気止め材を封着することにより、相隣る建物ユニットの間への外気の侵入を確実に防止できる。
【００１８】
（請求項４）
（ｄ）断熱・通気止め材を封着する継目が、相隣る建物ユニットの内壁パネルの間に連通する継目であるものとすることにより、内壁パネルに断熱材を充填する必要がなく、居室の温熱環境を安定化できるし、内壁パネルにおける結露の発生を防止できる。
【００１９】
（請求項５）
（ｅ）互いに隣接される建物ユニットのそれぞれに取り付けられた断熱・通気止め材を構成する２つの部材が継目縁部の内方で当接しているので、建物ユニットと断熱・通気止め材との間に隙間が形成されることはなく、かつ２つの部材の密接度合いが高いことから、継目縁部を確実に封着することができる。
【００２０】
（請求項６）
（ｆ）被設置部に取り付けられた気流止め材は、相隣る建物ユニットにより形成される継目を塞ぐことができるので、より確実に外気の侵入を防止することができる。
【００２１】
（請求項７）
（ｇ）互いに隣接される建物ユニットのそれぞれに断熱・通気止め材を構成する２つの部材を取り付け、建物ユニットを設置することにより２つの部材を当接させる構築方法であるので、建物ユニットと断熱・通気止め材との間に隙間が形成されることはなくかつ２つの部材の密接度合いを高めることができ、建物ユニットの設置の際、建物ユニットと断熱・通気止め材とを当接させる方法に比較して継目を確実に封着することができる。
【００２２】
（請求項８）
（ｈ）建物ユニットが設置される前に、被設置部に気流止め材を取り付けることから、建物ユニットが設置されると、相隣る建物ユニットにより形成される継目が気流止め材によって塞がれるので、より確実に外気の侵入を防止することができる。
【発明を実施するための最良の形態】
【００２３】
図１はユニット建物を示す断面図、図２は１階床部の継目における断熱・通気止め材の封着構造を示し、（Ａ）は斜視図、（Ｂ）は断面図、図３は外壁の継目における断熱・通気止め材の封着構造を示し、（Ａ）は斜視図、（Ｂ）は断面図、図４は最上階天井部の継目における断熱・通気止め材の封着構造を示し、（Ａ）は斜視図、（Ｂ）は断面図、図５は施工例を示し、（Ａ）は施工例１を示す斜視図、（Ｂ）は施工例２を示す斜視図、図６は各建物ユニットが設置された状態を模式的に示す斜視図であり、各継目縁部の位置を説明するための図面である。図１３は従来のユニット建物を示す断面図である。
【実施例１】
【００２４】
ユニット建物１０は、図１および図６に示す如く、基礎１１の上に、複数の下階建物ユニット２０を互いに隣接設置し、各下階建物ユニット２０の上に上階建物ユニット３０を搭載し、各上階建物ユニット３０の上に屋根ユニット４０を搭載して構築される。このため、基礎１１が下階建物ユニット２０にとっての被設置部となり、上階建物ユニット３０が屋根ユニット４０にとっての被設置部となる。
【００２５】
建物ユニット２０、３０は、床パネル２１、３１の外縁に外壁パネル２２、３２、内壁パネル２３、３３を立設して構成される。外壁パネル２２、３２は建物１０の外周に位置し、内壁パネル２３、３３は建物１０の内部に位置する。屋根ユニット４０は、建物１０の屋根を構成する建物ユニットであり、屋根小壁４１の上に屋根パネル４２を設けて構成される。屋根ユニット４０は、屋根小壁４１の下に天井材４３を貼り設けてある。
【００２６】
ユニット建物１０は、１階床部を構成する各下階建物ユニット２０の床パネル２１に断熱材２５を充填し、屋上バルコニー床部を構成する上階建物ユニット３０の床パネル３１に断熱材３５を充填し、外壁を構成する各建物ユニット２０、３０の外壁パネル２２、３２に断熱材２６、３６を充填し、２階天井部を構成する屋根ユニット４０の天井材４３の天井裏側に断熱材４４を充填している。これらの断熱材２５、２６、３５、３６、４４は予め工場取付けされる。
【００２７】
ユニット建物１０は、図６に示すように、相隣る下階建物ユニット２０同士の間、上階建物ユニット３０同士の間の外気（床下換気または屋根裏換気のために床下または屋根裏に取り込まれた外気を含む）に接する継目５０を有する。継目５０は、１階床部の対向する床パネル２１の継目により規定され床下空間に臨む継目縁部５１と、外壁（対向する外壁パネル２２、対向する外壁パネル３２）の継目により規定され外周空間に臨む継目縁部５２と、２階天井部の対向する天井材４３の継目および対向する上階建物ユニット３０の上枠３３Ａの継目により規定され屋根裏空間に臨む継目縁部５３とを有し、各継目縁部５１、５２、５３により連続的に取り囲まれている。図１に示すように、各継目縁部５１、５２、５３には、以下の如くに、断熱・通気止め材６１、６２（図３参照。）、６３が配置されている。
【００２８】
（Ａ）１階床部の継目縁部５１における断熱・通気止め材６１の封着構造（図２）
（１）相隣る下階建物ユニット２０のうちの一方の下階建物ユニット２０の床パネル２１の継ぎ下枠２１Ａを基礎１１の天面に配置したパッキン１２の上に据付けるに際し、この下階建物ユニット２０の内壁パネル２３の直下に位置して継目縁部５１を形成することになる床パネル２１の端根太２１Ｂの側面に両面粘着テープ７１を貼る。
【００２９】
（２）上述（１）の下階建物ユニット２０の床パネル２１の端根太２１Ｂに貼ってある両面粘着テープ７１に、断熱・通気止め材６１の一方の側面を接着する。断熱・通気止め材６１は端根太２１Ｂの全長に渡るものとする。断熱・通気止め材６１としては、断熱機能と通気止め機能とを備える、ポリエチレンフィルム入りグラスウールを用いることができる。
【００３０】
（３）図２（Ｂ）に示すように、相隣る下階建物ユニット２０のうちの他方の下階建物ユニット２０の床パネル２１の継ぎ下枠２１Ａを基礎１１の天面に配置したパッキン１２の上に据付け、この下階建物ユニット２０の内壁パネル２３の直下に位置して継目縁部５１を形成することになる床パネル２１の端根太２１Ｂの側面を、上述（２）の断熱・通気止め材６１の他方の側面に圧接して断熱・通気止め材６１を挟圧し、この断熱・通気止め材６１により継目縁部５１を封止する。このとき、この下階建物ユニット２０の端根太２１Ｂの断熱・通気止め材６１に圧接する側面に両面粘着テープ７１を貼ってあっても良い。
【００３１】
相隣る下階建物ユニット２０の１階床部の床パネル２１の妻側側辺間の継目縁部５１と、桁側側辺間の継目縁部５１において、上述（１）〜（３）を行ない、それらの継目縁部５１に断熱・通気止め材６１を封着する。
【００３２】
（Ｂ）外壁の継目縁部５２における断熱・通気止め材６２の封着構造（図３）
（１）前述（Ａ）の（１）において、相隣る下階建物ユニット２０のうちの一方の下階建物ユニット２０の床パネル２１の継ぎ下枠２１Ａを基礎１１の天面に配置したパッキン１２の上に据付ける際、及び各下階建物ユニット２０の上に上階建物ユニット３０を据付けるに際し、これらの建物ユニット２０、３０の内壁パネル２３、３３に交差する外壁パネル２２、３２の縦枠２２Ａ、３２Ａ（図６参照。）であって、継目縁部５２を形成することになる縦枠２２Ａ、３２Ａの側面に両面粘着テープ７２を貼る。
【００３３】
（２）上述（１）の建物ユニット２０、３０の外壁パネル２２、３２の縦枠２２Ａ、３２Ａに貼ってある両面粘着テープ７２に、断熱・通気止め材６２の一方の側面を接着する。断熱・通気止め材６２は縦枠２２Ａ、３２Ａ（図６参照。）の全長に渡るものとする。断熱・通気止め材６２としては、断熱機能と通気止め機能とを備える、ポリエチレンフィルム入りグラスウールを用いることができる。
【００３４】
（３）相隣る建物ユニット２０、３０のうちの他方の建物ユニット２０の床パネル２１の継ぎ下枠２１Ａを基礎１１の天面に配置したパッキン１２の上に、床パネル３１の下枠（図示せず。）を下階建物ユニット２０の上に据付け、これらの建物ユニット２０、３０の内壁パネル２３、３３に交差して継目縁部５２を形成することになる外壁パネル２２、３２の縦枠２２Ａ、３２Ａ（図６参照。）の側面を、上述（２）の断熱・通気止め材６２の他方の側面に圧接して断熱・通気止め材６２を挟圧し、この断熱・通気止め材６２により継目縁部５２を封止する。このとき、この建物ユニット２０、３０の縦枠２２Ａ、３２Ａの断熱・通気止め材６２に圧接する側面に両面粘着テープ７２を貼ってあっても良い。
【００３５】
相隣る下階建物ユニット２０と相隣る上階建物ユニット３０の妻側と桁側で外壁を構成する外壁パネル２２、３２間の継目縁部５２において、上述（１）〜（３）を行ない、それらの継目縁部５２に断熱・通気止め材６２を封着する。
【００３６】
（Ｃ）２階天井部の継目縁部５３における断熱・通気止め材６３の封着構造（図４、図５）
（１）相隣る上階建物ユニット３０の内壁パネル３３の直上に位置して継目縁部５３に臨むように相対する内壁パネル３３の上枠３３Ａの上面に、断熱・通気止め材６３の落ち込み防止用かつ通気止め用のフィルム７３を貼る。フィルム７３は、上枠３３Ａに設けられていて屋根ユニット４０の屋根小壁４１の下枠４１Ａを締結するためのボルト３３Ｂに刺し通されて上枠３３Ａの上面に貼られ、屋根小壁４１の下枠４１Ａによりこの上枠３３Ａとの間に挟まれて上枠３３Ａの上面に取着される。
【００３７】
（２）相隣る上階建物ユニット３０の内壁パネル３３の上枠３３Ａの上に屋根ユニット４０の屋根小壁４１の下枠４１Ａを据付け、各屋根ユニット４０を棟上げする。このとき、屋根ユニット４０の屋根小壁４１における下枠４１Ａの上には、図５（Ａ）に示す如く、予め断熱・通気止め材６３が工場取付けされている（施工例１）。工場取付けされた断熱・通気止め材６３は、屋根小壁４１の両外側の縦枠４１Ｂに仮止めされた幅広バンド４５により保持され、相隣る屋根ユニット４０の棟上げ後に幅広バンド４５を取外して復元される。これにより、復元した断熱・通気止め材６３がフィルム７３の上に展開し、この断熱・通気止め材６３により継目縁部５３を封止するものになる。断熱・通気止め材６３としては、断熱機能と通気止め機能とを備える、ポリエチレンフィルム入りグラスウールを用いることができる。
【００３８】
相隣る上階建物ユニット３０の妻側と桁側で２階天井部を構成する屋根小壁４１間の継目縁部５３において、上述（１）、（２）を行ない、それらの継目縁部５３に断熱・通気止め材６３を封着する。
【００３９】
尚、図５（Ｂ）に示す如く、断熱・通気止め材６３の一部を工場取付けされる断熱・通気止め材６３Ａとし、残部を現地取付けされる断熱・通気止め材６３Ｂとしても良い（施工例２）。工場取付けされる断熱・通気止め材６３Ａは、相隣る屋根ユニット４０の継目縁部５３を形成することとなる屋根小壁４１の下枠４１Ａの上面に両面粘着テープを用いる等により工場取付けされる。現地取付けされる断熱・通気止め材６３Ｂは、相隣る屋根ユニット４０のうちの一方の屋根ユニット４０の棟上げ後に、フィルム７３の上に両面粘着テープを用いる等により貼付けられ、他方の屋根ユニット４０の棟上げ時に、相隣る屋根ユニット４０の屋根小壁４１に工場取付けされてあった断熱・通気止め材６３Ａにより挟圧され、継目縁部５３を封止するものになる。
【００４０】
（Ａ）〜（Ｃ）で述べたように、断熱・通気止め材６１、６２、６３は、各継目縁部５１、５２、５３に配置され、すなわち各継目縁部５１、５２、５３を封止するように封着されており、この各継目縁部５１、５２、５３により継目５０が塞がれている。
【００４１】
実施例１によれば以下の作用効果を奏する。
【００４２】
（ｂ）相隣る建物ユニット２０、３０の間の外気に接する継目縁部５１、５２、５３に断熱・通気止め材６１、６２、６３を封着することにより、相隣る建物ユニット２０、３０の間に外気が侵入することがなくなり、居室の温熱環境を安定化できる。
【００４３】
（ｃ）１階床部の継目縁部５１、外壁の継目縁部５２、及び２階天井部の継目縁部５３に断熱・通気止め材６１、６２、６３を封着することにより、相隣る建物ユニット２０、３０の間への外気の侵入を確実に防止できる。
【００４４】
（ｄ）断熱・通気止め材６１、６２、６３を封着する継目縁部５１、５２、５３が、相隣る建物ユニット２０、３０の内壁パネル２３、３３の間に連通する継目縁部５１、５２、５３であるものとすることにより、内壁パネル２３、３３に断熱材を充填する必要がなく、居室の温熱環境を安定化できるし、内壁パネル２３、３３における結露の発生を防止できる。
【実施例２】
【００４５】
次に、実施例２について説明する。実施例２は、相隣る下階建物ユニット２０同士の間、上階建物ユニット３０同士の間の外気（床下換気または屋根裏換気のために床下または屋根裏に取り込まれた外気を含む）に接する継目５０を実施例１とは異なる構成で封着した例である。なお、実施例２の基本的な構成は実施例１と同様であるので、同一機能部分には実施例１と同一の符号を付し、その詳細な説明は省略する。
【００４６】
（Ｄ）まず、１階床部の継目縁部５１における断熱・通気止め材６１０の封着構造およびその取付方法（図７ないし図９参照。）を説明する。
【００４７】
（１）下階建物ユニット２０の設置に先立って、断熱・通気止め材６１０が配置される。断熱・通気止め材６１０は、二つの断熱・通気止め材６１０ａ、６１０ｂ（図９参照。）を有し、それぞれが実施例１の断熱・通気止め材６１の略半分の厚さに形成されている。断熱・通気止め材６１０ａは、相隣るように設置される二つの下階建物ユニット２０の一方の端根太２１Ｂの側面に取り付けられ（図８参照。）、断熱・通気止め材６１０ｂは、他方の下階建物ユニット２０の端根太２１Ｂの側面に取り付けられる。各端根太２１Ｂは、両下階建物ユニット２０のうち、内壁パネル２３の直下に位置し、両下階建物ユニット２０が設置されると互いに対向して継目縁部５１を規定する（図９参照。）。断熱・通気止め材６１０ａ、６１０ｂは、端根太２１Ｂの全長に渡って取り付けられる。断熱・通気止め材６１０ａ、６１０ｂは、本実施例では、グラスウールあるいは発泡合成樹脂質からなる断熱材を梱包するポリエチレンの袋により形成されている。なお、断熱・通気止め材６１０ａ、６１０ｂは、工場で取り付けてもよく現場で取り付けてもよいが、工場取り付けにすると、取り付け位置の精度および密着性を高めることができる。
【００４８】
（２）図７に示すように、基礎１１の天面に設けられたパッキン１２の上面に気流止め材としての気流止めテープ８０を配置する。気流止めテープ８０は、本実施例では、ポリエチレンあるいはポリエステルを材料として形成されている。気流止めテープ８０は、各パッキン１２の間を最短距離で掛け渡すように、すなわち撓みが生じないように張られた状態で各パッキン１２に取り付けられる。各パッキン１２は、相隣るように設置される二つの下階建物ユニット２０に対応するために、基礎１１の幅方向に沿って対を為し、かつ基礎１１の長手方向に沿って点在するように列を形成しており、両下階建物ユニット２０が設置されるとその間に形成される継目５０に面する。気流止めテープ８０は、アクリル系の接着剤により各パッキン１２に貼り付けられている。
【００４９】
（３）図８に示すように、気流止めテープ８０が張られた基礎１１の上にそれぞれ下階建物ユニット２０を設置する（矢印Ｏ参照。）。各下階建物ユニット２０は、その端根太２１Ｂの下方に位置する床パネル２１の継ぎ下枠２１Ａが各パッキン１２の上方に位置するように据付けられる（図９参照。）。相隣る下階建物ユニット２０の各下枠２１Ａは、図９に示すように、その一方が基礎１１の長手方向に沿う一方の列の各パッキン１２の上方に位置され、他方が基礎１１の長手方向に沿う他方の列の各パッキン１２の上方に位置される。気流止めテープ８０は、撓みなく各パッキン１２を掛け渡されていることから、対向する両下枠２１Ａを跨ぎかつ両下枠２１Ａの伸長方向に沿って延在し、気流止めテープ８０の両側部が両下枠２１Ａに密着する。
【００５０】
また、断熱・通気止め材６１０ａ、６１０ｂは、相隣る下階建物ユニット２０の端根太２１Ｂの側面のそれぞれに設けられていることから、両下階建物ユニット２０が基礎１１上に据付けられる際、継目縁部５１の内方で互いに圧接される。このとき、断熱・通気止め材６１０ａ、６１０ｂは、共に断熱材を梱包するポリエチレンで構成されていることから容易に変形可能であるので、互いに馴染みやすく、密着される。
【００５１】
よって、継目縁部５１は、互いに密接する断熱・通気止め材６１０ａ、６１０ｂからなる断熱・通気止め材６１０と、伸長方向に沿って両下枠２１Ａに密着する気流止めテープ８０とにより封止される。
【００５２】
相隣る下階建物ユニット２０の１階床部の床パネル２１の妻側側辺間の継目縁部５１と、桁側側辺間の継目縁部５１において、上述（１）〜（３）を行ない、それらの継目縁部５１を断熱・通気止め材６１０および気流止めテープ８０で封止する。
【００５３】
（Ｅ）次に、外壁の継目縁部５２における断熱・通気止め材の封着構造およびその取付方法を説明する。
【００５４】
断熱・通気止め材は、断熱材を梱包するポリエチレンで構成され、実施例１の断熱・通気止め材６２の略半分の幅の二つの断熱・通気止め材から構成され、それぞれ縦枠２２Ａおよび縦枠３３Ａ（図６参照。）に取り付けられている。その他の構成は、実施例１と同様であるので、その詳細な説明は省略する。
【００５５】
断熱・通気止め材は、相隣る建物ユニット２０、３０の縦枠２２Ａおよび縦枠３３Ａ（図６参照。）のそれぞれに設けられていることから、建物ユニット２０、３０が据付けられる際、継目縁部５２の内方で互いに圧接される。このとき、断熱・通気止め材は、共に断熱材を梱包するポリエチレンで構成されていることから容易に変形可能であるので、互いに馴染みやすく、密着される。
【００５６】
なお、継目縁部５２においては、継目縁部５１とは異なり予め継目縁部５２を跨ぐように配置されている部材が存在しないことから、気流止めテープ８０を先に取り付けていないが、各建物ユニット２０、３０を設置した後、互いに密着された断熱・通気止め材に取り付けることができる。この場合も、断熱・通気止め材による封止効果を高めることができる。
【００５７】
（Ｆ）２階天井部の継目縁部５３における断熱・通気止め材６３０の封着構造およびその取付方法（図１０ないし図１２参照。）を説明する。
【００５８】
相隣る屋根ユニット４０には、図１１に示すように、予め、実施例１の施工例２と同様の断熱・通気止め材６３Ａが取り付けられている。断熱・通気止め材６３Ａは、屋根ユニット４０の屋根小壁４１の下枠４１Ａの上面に取り付けられている。下枠４１Ａは、相隣る屋根ユニット４０が設置されると互いに対向して継目縁部５３を形成する。断熱・通気止め材６３Ａは、実施例２では、両面粘着テープ（図示せず。）により工場で取り付けされている。なお、断熱・通気止め材６３Ａは、下枠４１Ａの上面に取り付けられていればよく、取付手段および取付加工が施される場所は実施例２に限定されるものではない。
【００５９】
（１）屋根ユニット４０の設置に先立って、断熱・通気止め材６３０が配置される。断熱・通気止め材６３０は、二つの断熱・通気止め材６３０ａ、６３０ｂ（図１２参照。）を有し、それぞれが実施例１の断熱・通気止め材６３の略半分の厚さに形成されている。断熱・通気止め材６３０ａは、相隣るように設置される二つの屋根ユニット４０の一方の屋根小壁４１の下端部の側面に取り付けられ（図１１参照。）、断熱・通気止め材６３０ｂは、他方の屋根ユニット４０の屋根小壁４１の下端部の側面に取り付けられる。断熱・通気止め材６３０ａ、６３０ｂは、その下面が屋根小壁４１の下枠４１Ａの下面に揃うように配置されている。両屋根小壁４１は、相隣る上階建物ユニット３０の内壁パネル３３の上枠３３Ａの上方に位置し、両屋根ユニット４０が設置されると両上枠３３Ａと協働して継目縁部５３を形成する（図１２参照。）。このため、両上枠３３Ａにより形成される対向空間である継目縁部５３の一部が両屋根ユニット４０により形成される継目５０に面する箇所となる。断熱・通気止め材６３０ａ、６３０ｂは、屋根小壁４１の全長に渡って取り付けられる。断熱・通気止め材６３０ａ、６３０ｂは、断熱・通気止め材６１０ａ、６１０ｂに等しい部材からなり、工場で取り付けてもよく、現場で取り付けてもよい。
【００６０】
（２）図１０に示すように、相隣る上階建物ユニット３０の上枠３３Ａの上面に気流止め材としての気流止めテープ８０を取り付ける。両上枠３３Ａは、上記したように、上階建物ユニット３０の内壁パネル３３の直上に位置し（図１２参照。）、継目５０に面する箇所を形成している。両上枠３３Ａには、継目縁部５３の間隔を保つためのジョイントプレート８１が設けられている。気流止めテープ８０は、撓みが生じないように張られた状態で両上枠３３Ａの長手方向に沿い、かつ両上枠３３Ａを跨いで両上枠３３Ａの上面およびジョイントプレート８１の上面に取り付けられる。気流止めテープ８０は、アクリル系の接着剤により両上枠３３Ａおよびジョイントプレート８１に貼り付けられている。
【００６１】
（３）図１１に示すように、気流止めテープ８０が張られた両上階建物ユニット３０の上にそれぞれ屋根ユニット４０を設置する（矢印Ｐ参照。）。各屋根ユニット４０は、その下枠４１Ａが各上階建物ユニット３０の上枠３３Ａの上方に位置するように据付けられて（図１２参照。）、棟上げされる。相隣る屋根ユニット４０の各下枠４１Ａは、その一方が一方の上階建物ユニット３０の上枠３３Ａの上方に位置され、他方が他方の上階建物ユニット３０の上枠３３Ａの上方に位置されている（図１２参照。）。気流止めテープ８０は、撓みなく取り付けられていることから、対向する両下枠４１Ａを跨ぎかつ両下枠４１Ａの伸長方向に沿って延在し、気流止めテープ８０の両側部が両下枠４１Ａに密着する。
【００６２】
また、断熱・通気止め材６３０ａ、６３０ｂは、相隣る屋根ユニット４０の屋根小壁４１の下端部の側面のそれぞれに設けられていることから、両屋根ユニット４０が両上階建物ユニット３０上に棟上げされる際、継目縁部５３の上方で互いに圧接され、互いに馴染み、密着される。
【００６３】
よって、継目縁部５１は、互いに密接する断熱・通気止め材６３０ａ、６３０ｂからなる断熱・通気止め材６３０と、伸長方向に沿って両下枠４１Ａに密着する気流止めテープ８０とにより封止される。
【００６４】
相隣る上階建物ユニット３０の妻側と桁側で２階天井部を構成する屋根小壁４１間の継目縁部５３において、上述（１）〜（３）を行ない、それらの継目縁部５３を断熱・通気止め材６３０および気流止めテープ８０で封止する。
【００６５】
実施例２によれば、実施例１に記載した（ｂ）〜（ｄ）の効果に加えて以下の効果を得ることができる。
【００６６】
（ｅ）互いに隣接される建物ユニット２０および屋根ユニット４０のそれぞれに断熱・通気止め材６１０、６３０を取り付け、建物ユニット２０および屋根ユニット４０を設置することにより断熱・通気止め材６１０、６３０を互いに圧接させる構成であるので、継目５０を確実に封着することができる。これは、断熱・通気止め材６１０、６３０が各建物ユニット２０および屋根ユニット４０を構成する部材より柔らかい部材で構成されていることから、建物ユニット２０および屋根ユニット４０と断熱・通気止め材６１０、６３０とを圧接させる構成に比較して両断熱・通気止め材６１０、６３０の密接度合いを高めることができること、および断熱・通気止め材６１０、６３０を構成する断熱・通気止め材６１０ａ、６１０ｂ、６３０ａ、６３０ｂが予め建物ユニット２０および屋根ユニット４０のそれぞれに取り付けられているので、建物ユニット２０および屋根ユニット４０の設置により当接させることとは異なり、断熱・通気止め材６１０、６３０と建物ユニット２０および屋根ユニット４０とを確実に密着させることができることによる。
【００６７】
（ｆ）継目縁部５１、５３に気流止め材としての気流止めテープ８０が取り付けられていることから、断熱・通気止め材６１０、６３０による封止効果を補助することができ、継目５０への外気の侵入を防止することができる。
【００６８】
（ｇ）気流止めテープ８０がアクリル系の接着剤により取り付けられているので、取付位置にずれが生じた場合であっても、取り付け直すことが容易である。
【００６９】
（ｈ）気流止めテープ８０は、被設置部側に、すなわち継目縁部５１においては基礎１１側に、継目縁部５３においては上階建物ユニット３０側に接着材が塗布されて取り付けられているので、後から配置されるユニット２０、４０の据付けの際に位置調整がなされても、気流止めテープ８０にずれが生じることを抑制することができる。
【００７０】
以上、本発明の実施例１および実施例２を図面により詳述したが、本発明の具体的な構成はこの両実施例に限られるものではなく、本発明の要旨を逸脱しない範囲の設計の変更等があっても本発明に含まれる。例えば、本発明の断熱・通気止め材は、相隣る建物ユニットの間の外気に接する継目であって、この継目の一方側又は両方側に内壁パネルが存在することのない継目に封着されるものでも良い。
【図面の簡単な説明】
【００７１】
【図１】ユニット建物を示す断面図である。
【図２】１階床部の継目における断熱・通気止め材の封着構造を示し、（Ａ）は斜視図、（Ｂ）は断面図である。
【図３】外壁の継目における断熱・通気止め材の封着構造を示し、（Ａ）は斜視図、（Ｂ）は断面図である。
【図４】最上階天井部の継目における断熱・通気止め材の封着構造を示し、（Ａ）は斜視図、（Ｂ）は断面図である。
【図５】施工例を示し、（Ａ）は施工例１を示す斜視図、（Ｂ）は施工例２を示す斜視図である。
【図６】各建物ユニットが設置された状態を模式的に示す斜視図であり、各継目縁部の位置を説明するための図面である。
【図７】気流止めテープの基礎への取り付け方法を説明するための斜視図である。
【図８】気流止めテープが取り付けられた基礎への下階建物ユニットの据付け方法を説明するための斜視図である。
【図９】実施例２に係る１階床部の継目における断熱・通気止め材の封着構造を示す断面図である。
【図１０】気流止めテープの上階建物ユニットへの取り付け方法を説明するための斜視図である。
【図１１】気流止めテープが取り付けられた上階建物ユニットへの天井ユニットの棟上げの方法を説明するための斜視図である。
【図１２】実施例２に係る最上階天井部の継目における断熱・通気止め材の封着構造を示す断面図である。
【図１３】従来のユニット建物を示す断面図である。
【符号の説明】
【００７２】
１０  ユニット建物
１１  （被設置部としての）基礎
２０  （建物ユニットとしての）下階建物ユニット
３０  （建物ユニットおよび被設置部としての）上階建物ユニット
４０  （建物ユニットとしての）屋根ユニット
２３、３３  内壁パネル
５０  継目
５１、５２、５３  継目縁部
６１、６２、６３、６１０、６３０  断熱・通気止め材
６１０ａ、６１０ｂ  （６１０を構成する２つの部材としての）断熱・通気止め材
６３０ａ、６３０ｂ  （６３０を構成する２つの部材としての）断熱・通気止め材
８０  （気流止め材としての）気流止めテープ
【図１】
2006104927.tif 000003
【図２】
2006104927.tif 000004
【図３】
2006104927.tif 000005
【図４】
2006104927.tif 000006
【図５】
2006104927.tif 000007
【図６】
2006104927.tif 000008
【図７】
2006104927.tif 000009
【図８】
2006104927.tif 000010
【図９】
2006104927.tif 000011
【図１０】
2006104927.tif 000012
【図１１】
2006104927.tif 000013
【図１２】
2006104927.tif 000014
【図１３】
2006104927.tif 000015